(57)【要約】【課題】効率良くコンピュータシステムの電力管理を行う電力配分システム及び電力配分方法を提供する。【解決手段】バスで接続された複数のコンピュータシステムの各々に対し供給可能な電力を配分する電力配分システムにおいて、コンピュータシステムに電力を供給する電源ユニットと、電源ユニットからの電力が遮断された場合にコンピュータシステムに一時的に電力を供給するバッテリユニットと、電源ユニットとバッテリユニットを制御し、コンピュータシステムに対し電力を配分する制御を行う管理モジュールと、を備えている。【選択図】      図１
2013206077.tif 000002
【特許請求の範囲】
【請求項１】
バスで接続された複数のコンピュータシステムの各々に対し供給可能な電力を配分する電力配分システムにおいて、
前記コンピュータシステムに電力を供給する電源ユニットと、
前記電源ユニットからの電力が遮断された場合に前記コンピュータシステムに一時的に電力を供給するバッテリユニットと、
前記電源ユニットと前記バッテリユニットを制御し、前記コンピュータシステムに対し電力を配分する制御を行う管理モジュールと、
を備えることを特徴とする電力配分システム。
【請求項２】
前記管理モジュールは、
前記バスに接続された各モジュールを監視するモジュール監視部と、
前記バスに接続された前記モジュールを制御するモジュール制御部と、
前記バスに接続された前記モジュールに確保する電力を割り当てる電力管理部と、
を備えていることを特徴とする請求項１記載の電力配分システム。
【請求項３】
前記電力管理部は、前記モジュール監視部から得られた統計データに基づき、前記電力管理部内に有する確保電力テーブルを更新し、確保された電力を前記確保電力テーブルに登録し、それ以外の余剰電力を余剰電力プールに登録することを特徴とする請求項２記載の電力配分システム。
【請求項４】
前記管理モジュールは、前記余剰電力プールの余剰電力が前記電源ユニット１つ分の電力を超える場合、前記モジュール制御部に対して前記電源ユニットを１つ停止させることを特徴とする請求項３記載の電力配分システム。
【請求項５】
前記管理モジュールは、電力を緊急で補う必要がある場合は、前記余剰電力プールの電力を割り当て、前記余剰電力プールの電力で不足分を補うことができない場合は、停止状態の前記電源ユニットを起動すると同時に、一時的に前記バッテリユニットを放電して電力を補うことを特徴とする請求項３記載の電力配分システム。
【請求項６】
前記複数のコンピュータシステムの各々は、サーバであることを特徴とする請求項１乃至５のいずれか１項に記載の電力配分システム。
【請求項７】
バスで接続された複数のコンピュータシステムに対し電力を配分する制御を行う管理モジュールと、
前記コンピュータシステムに電力を供給する電源ユニットと、
前記電源ユニットからの電力が遮断された場合に前記コンピュータシステムに一時的に電力を供給するバッテリユニットと、
を備え、前記コンピュータシステムの各々に対し供給可能な電力を配分する電力配分方法であって、
前記バスに接続された各モジュールを監視するステップと、
前記モジュールを監視するステップから得られた統計データに基づき、確保電力テーブルを更新し、確保された電力を確保電力テーブルに登録し、それ以外の余剰電力を余剰電力プールに登録するステップと、
前記余剰電力プールの余剰電力が前記電源ユニット１つ分の電力を超える場合、前記電源ユニットを１つ停止させるステップと、
電力を緊急で補う必要がある場合は、前記余剰電力プールの電力を割り当て、前記余剰電力プールの電力で不足分を補うことができない場合は、停止状態の前記電源ユニットを起動すると同時に、一時的に前記バッテリユニットを放電して電力を補うステップと、
を含むことを特徴とする電力配分方法。
【発明の詳細な説明】
【技術分野】
【０００１】
本発明は、複数のコンピュータシステムにおける電力配分システム及び電力配分方法に係り、特にブレードサーバなどのサーバシステムの電力配分システム及び電力配分方法に関する。
【背景技術】
【０００２】
近年、情報機器の省電力化が求められているが、中でもコンピュータシステムにおいては、複数のコンピュータシステムのそれぞれに電力を配分する管理方法が行われてきている。
【０００３】
特許文献１には、電力割り当ての効率化として、電力配分の優先度の高いサーバが優先度の低いサーバから電力を融通する制御技術が開示されている。ただ、優先度の低いサーバから強制的に電力を融通することに重点を置いている。
【０００４】
また、特許文献２には、将来の電力需要予測を行い、電力計画を策定する技術が開示されている。しかしながら、もともと発電を制御する技術なので、限られた電力の利用という点では、根本的に異なっている。
【先行技術文献】
【特許文献】
【０００５】
【特許文献１】特開２０１０−１２３０７１号公報
【特許文献２】特開２０１０−１１４９６８号公報
【発明の概要】
【発明が解決しようとする課題】
【０００６】
複数のコンピュータシステムにおいて電力を管理する管理システムがある。この管理システムにおける管理モジュールは、確保電力として、ＣＰＵブレード（コンピュータ）、スイッチモジュール、ＦＡＮモジュールの最大消費電力相当を確保している。しかしながら実際には、最大消費電力相当まで使用されることは稀で、電力管理の観点で無駄が多かった。
【０００７】
本発明の目的は、この点を鑑みたものであり、効率良くコンピュータシステムの電力管理を行う電力配分システム及び電力配分方法を提供することにある。
【課題を解決するための手段】
【０００８】
本発明では、上記課題に対して、バスで接続された複数のコンピュータシステムの各々に対し供給可能な電力を配分する電力配分システムにおいて、コンピュータシステムに対し電力を配分する制御を行う管理モジュールと、コンピュータシステムに電力を供給する電源ユニットと、電源ユニットからの電力が遮断された場合にコンピュータシステムに一時的に電力を供給するバッテリユニットとを備えたものである。
【０００９】
そして、管理モジュールは、バスに接続されたモジュールを監視するモジュール監視部と、バスに接続されたモジュールを制御するモジュール制御部と、バスに接続されたモジュールに確保する電力を割り当てる電力管理部と、を備えていることを特徴としている。
【００１０】
また、電力管理部は、モジュール監視部から得られた統計データに基づき、電力管理部内に有する確保電力テーブルを更新し、確保された電力を確保電力テーブルに登録し、それ以外の余剰電力を余剰電力プールに登録することを特徴としている。
【００１１】
また、管理モジュールは、余剰電力プールの余剰電力が前記電源ユニット１つ分の電力を超える場合、前記モジュール制御部に対して前記電源ユニットを１つ停止させることを特徴とする。そして、管理モジュールは、電力を緊急で補う必要がある場合は、余剰電力プールの電力を割り当て、余剰電力プールの電力で不足分を補うことができない場合は、停止状態の電源ユニットを起動すると同時に、一時的にバッテリユニットを放電して電力を補うことを特徴としている。
【発明の効果】
【００１２】
各モジュールの電力をあらかじめ最大で確保するのではなく、統計に基づいて適切な範囲内で確保し、緊急の電力不足時にはバッテリユニットの電力を使用することで、効率の良い電力管理を実現できる。
【図面の簡単な説明】
【００１３】
【図１】本発明の実施形態を採用したコンピュータシステムの構成を示すブロック図である。
【図２】本発明の実施形態における管理モジュールの電力情報を更新する制御を示すフローチャートである。
【図３】本発明の実施形態における管理モジュールの余剰電力に基づいた制御を示すフローチャートである。
【図４】本発明の実施形態における統計データの一例を示す表である。
【図５】本発明の実施形態における確保電力テーブルの一例を示す表である。
【発明を実施するための形態】
【００１４】
以下、本発明の実施形態について図面を参照して詳細に説明する。
（実施形態の構成）
図１は、本発明の実施形態を採用したコンピュータシステムの構成を示すブロック図である。バス１上には、サーバの役割を担うＣＰＵブレード１０〜１３、ＣＰＵブレード間の接続やＣＰＵブレードと外部装置との接続を担うスイッチモジュール２０〜２１、ＣＰＵブレードやスイッチモジュールなどの各モジュールを冷却するＦＡＮ３０〜３３が接続されている。また、ＣＰＵブレードやスイッチモジュールなどの各モジュールに電力を供給する電源ユニット４０〜４２、ＡＣ電源断等が発生して電源ユニットからの電力が遮断された際に放電することで一時的に各モジュールに電力供給を行うバッテリユニット５０が、バス１上に接続されている。これらのモジュールを制御／監視する管理モジュール６０も、バス１上に接続されている。
【００１５】
管理モジュール６０は、各モジュールを監視するモジュール監視部７１と、各モジュールを制御するモジュール制御部７０と、各モジュールの電力を管理する電力管理部７３と、余剰電力プール７５を備えている。
【００１６】
電力管理部７３は、各モジュール用に確保された電力を確保電力テーブル７４に登録し、それ以外の余剰電力を余剰電力プール７５に登録する。余剰電力プール７５は、余剰電力のデータを保存しておくメモリ等の記憶装置である。
【００１７】
モジュール監視部７１は、監視している各モジュールの統計データ７２を生成し、電力管理部７３へ出力する。
【００１８】
モジュール制御部７０は、モジュール監視部７１と電力管理部７３のデータから、各モジュールの電源ＯＮ／ＯＦＦを制御する。
（実施形態の動作）
図２−図５を用いて管理モジュール６０の電力管理方法を説明する。
【００１９】
図２は、本発明の実施形態における管理モジュールの電力情報を更新する制御を示すフローチャートである。
【００２０】
運用開始直後、電力管理部７３は、各モジュールに確保電力として各モジュールの最大消費電力相当を割り当てる。モジュール監視部７１は、各モジュールの動作状況について監視する（Ｓ１０）。そして、電力管理部７３に、図４に示すような統計データ(どの月／曜日／日／時間帯にどの程度動作しているか、性能は十分に出ているか等)を生成し（Ｓ１１）、通知する。図４は、本発明の実施形態における統計データの一例を示す表である。この図４は、例として、ＣＰＵブレード１０の統計データで、１日のうち、時間帯により消費電力がどれぐらい消費されているかを示したものである。例えば、０時から２時は２００Ｗ、２時から４時は２１０Ｗ、のように、統計データが得られている。
【００２１】
電力管理部７３は、モジュール監視部７１から通知された統計データ７２を信頼できるか判定し（Ｓ１２）、統計データ７２が信頼できるなら（Ｓ１２のＹＥＳ）、その統計データをもとに最適な確保電力を算出する（Ｓ１３）。
【００２２】
そして、図５に示すような確保電力テーブル７４を更新する（Ｓ１４）。
【００２３】
図５は、本発明の実施形態における確保電力テーブルの一例を示す表である。図５は、確保電力テーブルの表であり、それぞれのモジュールが、どれくらい電力を確保できているのかを示している。例えば、ＣＰＵブレード１０は４００Ｗ、スイッチ２０は５０Ｗ、ＦＡＮ３０は７０Ｗ、というように電力を確保できている。
【００２４】
さらに、電力管理部７３は、確保電力として割り当てられていない余剰電力を算出し、余剰電力プール７５を更新する（Ｓ１５）。
【００２５】
さらに、図３を用いて、管理モジュールの余剰電力に基づいた制御フローチャートについて説明する。図３は、本発明の実施形態における管理モジュールの余剰電力に基づいた制御を示すフローチャートである。
【００２６】
電力管理部７３が、余剰電力プール７５を更新すると、管理モジュール６０は、余剰電力プール７５の確認を行う（Ｓ２０）。余剰電力が電源ユニット１つ分の電力を超える場合は（Ｓ２１のＹＥＳ）、モジュール制御部７０は電源ユニットを１つ停止させる（Ｓ２２）。このように、電源ユニットを１つ停止させることによって、電力を削減することができる。
【００２７】
また、突発的なシステム過負荷により確保電力を超えてしまい、電力を緊急で補う必要がある場合は（Ｓ２３のＹＥＳ）、まず、余剰電力で不足電力が賄えるか判定し（Ｓ２４）、賄える場合は（Ｓ２４のＹＥＳ）、余剰電力プール７５の電力を割り当てる（Ｓ２５）。余剰電力プール７５の電力で不足分を補うことができない場合は（Ｓ２４のＮＯ）、停止状態の電源ユニットを起動すると同時に（Ｓ２６）、起動している間、一時的にバッテリユニット５０を放電して電力を補う（Ｓ２７）。そして、電源ユニットの起動が完了すると（Ｓ２８のＹＥＳ）、バッテリユニット５０の放電を停止し（Ｓ２９）、定常状態に戻る。
【００２８】
このように、各モジュールの電力をあらかじめ最大で確保するのではなく、統計に基づいて適切な範囲内で確保し、緊急の電力不足時には、バッテリユニットの電力を使用することで、効率の良い電力管理を実現できる。
【００２９】
尚、本願発明は、上述の実施の形態に限定されるものではなく、本願発明の要旨を逸脱しない範囲で種々変更、変形して実施することが出来る。
【産業上の利用可能性】
【００３０】
バスで接続された複数のコンピュータシステムにおいて、効率良い電力配分システム、方法として利用できる。
【符号の説明】
【００３１】
１    バス
１０    ＣＰＵブレード
１１    ＣＰＵブレード
１２    ＣＰＵブレード
１３    ＣＰＵブレード
２０    スイッチモジュール
２１    スイッチモジュール
３０    ＦＡＮ
３１    ＦＡＮ
３２    ＦＡＮ
３３    ＦＡＮ
４０    電源ユニット
４１    電源ユニット
４２    電源ユニット
５０    バッテリユニット
６０    管理モジュール
７０    モジュール制御部
７１    モジュール監視部
７２    統計データ
７３    電力管理部
７４    確保電力テーブル
７５    余剰電力プール
【図１】
2013206077.tif 000003
【図２】
2013206077.tif 000004
【図３】
2013206077.tif 000005
【図４】
2013206077.tif 000006
【図５】
2013206077.tif 000007